(57)【要約】【課題】  連層足場全体を解体することなく、出入り口部を新設または拡張したり、外構工事を円滑に行ったりすることができる連層足場の設置方法と設置に使用することが可能な枠体締結具を提案する。【解決手段】  連層足場１０の最下層部５６は、建枠１１の鋼管支柱１５の下端部にジャッキベース１７を装着し、当該ジャッキベース１７が装着される建枠１１を所定の間隔毎に水平方向に建て並べることによって設置される。連層足場１０の上層部は、最下層部５６を構成する建枠１１の上に他の建枠１１を組み上げるとともに、組み上げられる建枠１１に対し所定の間隔毎に建造物の躯体部２４に固定される枠体締結具２５，４２を装着することによって設置される。その後、ジャッキベース１７の全部またはその一部に対して収縮操作を行ない、最下層部５６を構成する建枠１１の全部またはその一部を解体する。【選択図】    図８ 
2005226391.tif 000002
【特許請求の範囲】
【請求項１】
垂直方向に立設される２本の鋼管支柱と当該鋼管支柱を相互に連結する横架材とにより構成される建枠を所定の間隔毎に水平方向に建て並べるとともに垂直方向に複数組み上げることによって設置される連層足場の設置方法であって、
前記鋼管支柱の下端部にジャッキベースを装着し、当該ジャッキベースが装着される前記建枠を所定の間隔毎に水平方向に建て並べることによって連層足場の最下層部を設置する最下層部設置工程と、
前記最下層部を構成する前記建枠の上に他の前記建枠を組み上げるとともに、組み上げられる前記建枠に対し所定の間隔毎に建造物の躯体部に固定される枠体締結具を装着することによって連層足場の上層部を設置する上層部設置工程と、
前記ジャッキベースの全部またはその一部に対して収縮操作を行ない、前記最下層部を構成する前記建枠の全部またはその一部を解体する最下層部解体工程とを有することを特徴とする連層足場の設置方法。
【請求項２】
建造物の躯体部に連層足場などの枠体を締結するために使用する枠体締結具であって、
前記枠体の一部を把持するクランプが装着されるベース部材に対して直角方向に固定される締結アームと、
前記締結アームに位置決め固定されるとともに、前記躯体部の内側から接触する接触面を備える締結ネジがネジ結合される第１の摺動部材と、
前記締結アームに位置決め固定されるとともに、前記躯体部の外側から接触する接触面を備える当接部材が固定される第２の摺動部材とを有することを特徴とする枠体締結具。
【請求項３】
請求項２記載の枠体締結具において、前記締結アームには複数の位置決め孔が形成されており、前記第１の摺動部材には前記位置決め孔と同形のセット穴が形成されており、支持棒材を前記位置決め孔のいずれか１つと前記セット穴に打ち込むことにより前記第１の摺動部材を位置決め固定することを特徴とする枠体締結具。
【請求項４】
請求項２または３記載の枠体締結具において、前記締結アームを挟み込むように配置される一対の支持プレートと、前記締結アームの上面に架け渡されるとともに前記支持プレートを相互に連結する締付け部材とにより前記第２の摺動部材が構成され、前記締付け部材の締付け力を調節することにより前記第２の摺動部材を位置決め固定することを特徴とする枠体締結具。
【請求項５】
請求項２または３記載の枠体締結具において、前記当接部材に対して直角方向に固定される第１の伸縮部材と、前記ベース部材に対して直角方向に固定されるとともに前記第１の伸縮部材に対して軸方向に摺動自在の第２の伸縮部材と、一方の前記伸縮部材にネジ結合され２つの前記伸縮部材からなる軸方向長さを変化させるネジ部材とを有し、前記ネジ部材の取付け位置を変化させることにより前記第２の摺動部材を位置決め固定することを特徴とする枠体締結具。
【発明の詳細な説明】
【技術分野】
【０００１】
本発明は建造物の外周に設置される連層足場の設置方法と、建造物の躯体部に連層足場などの枠体を締結するために使用する枠体締結具に関する。
【背景技術】
【０００２】
中層ないし高層の建築物を建造する際には、複数の建枠を相互に組み付けて形成される枠組に作業足場を架け渡して構成される連層足場が建造物の外周を取り囲むように設置される。現場作業員は、この連層足場に乗り込んで上記建築物を外側から建造することになるが、作業の進捗状況に応じて、建造物の内側つまり連層足場の内側に入り込んで建造作業を行なう必要がある。したがって、連層足場を設置する際には、連層足場内部への建築資材の搬入搬出や現場作業員の出入りを円滑に行なうための出入り口部を連層足場の最下層部の一部に予め設けておくことが必要となる。
【０００３】
従来、上記出入り口部が設けられる連層足場を設置する際には、出入り口部となる最下層部の一部には搬入搬出作業の障害となる建枠を予め配置しないようにして枠組を形成するとともに、建枠が配置されない箇所の天井部には梁枠を架け渡して構造上の強度を補うようにしていた。
【発明の開示】
【発明が解決しようとする課題】
【０００４】
中層ないし高層の建築物を建造する際に設置される連層足場は大掛かりなものとなるため、一旦連層足場を設置した後に上記出入り口部を新たに設けることは煩雑な作業となる。しかしながら、作業の進捗状況や施工計画の見直しにともなって、新たに出入り口部を設ける必要が生じたり、大型の建造装置を搬入するため予め設けられた出入り口部を拡張する必要が生じたりすることがある。また、建築物外周の仕上げ作業つまり外構工事を行なうに際して、連層足場を最下層部から順次解体した方が円滑に外構工事を行なえる場合がある。
【０００５】
本発明の目的は、連層足場の設置後でも容易に出入り口部を新設または拡張することが可能な連層足場の設置方法を提案することにある。
【０００６】
本発明の他の目的は、連層足場の設置後でも円滑に外構工事を行なうことが可能な連層足場の設置方法を提案することにある。
【０００７】
さらに、本発明の他の目的は、建造物の躯体部に連層足場などの枠体を締結するために使用する枠体締結具を提供することにある。
【課題を解決するための手段】
【０００８】
本発明の連層足場の設置方法は、垂直方向に立設される２本の鋼管支柱と当該鋼管支柱を相互に連結する横架材とにより構成される建枠を所定の間隔毎に水平方向に建て並べるとともに垂直方向に複数組み上げることによって設置される連層足場の設置方法であって、前記鋼管支柱の下端部にジャッキベースを装着し、当該ジャッキベースが装着される前記建枠を所定の間隔毎に水平方向に建て並べることによって連層足場の最下層部を設置する最下層部設置工程と、前記最下層部を構成する前記建枠の上に他の前記建枠を組み上げるとともに、組み上げられる前記建枠に対し所定の間隔毎に建造物の躯体部に固定される枠体締結具を装着することによって連層足場の上層部を設置する上層部設置工程と、前記ジャッキベースの全部またはその一部に対して収縮操作を行ない、前記最下層部を構成する前記建枠の全部またはその一部を解体する最下層部解体工程とを有することを特徴とする。
【０００９】
本発明の枠体締結具は、建造物の躯体部に連層足場などの枠体を締結するために使用する枠体締結具であって、前記枠体の一部を把持するクランプが装着されるベース部材に対して直角方向に固定される締結アームと、前記締結アームに位置決め固定されるとともに、前記躯体部の内側から接触する接触面を備える締結ネジがネジ結合される第１の摺動部材と、前記締結アームに位置決め固定されるとともに、前記躯体部の外側から接触する接触面を備える当接部材が固定される第２の摺動部材とを有することを特徴とする。
【００１０】
本発明の枠体締結具は、前記締結アームには複数の位置決め孔が形成されており、前記第１の摺動部材には前記位置決め孔と同形のセット穴が形成されており、支持棒材を前記位置決め孔のいずれか１つと前記セット穴に打ち込むことにより前記第１の摺動部材を位置決め固定することを特徴とする。
【００１１】
本発明の枠体締結具は、前記締結アームを挟み込むように配置される一対の支持プレートと、前記締結アームの上面に架け渡されるとともに前記支持プレートを相互に連結する締付け部材とにより前記第２の摺動部材が構成され、前記締付け部材の締付け力を調節することにより前記第２の摺動部材を位置決め固定することを特徴とする。
【００１２】
本発明の枠体締結具は、前記当接部材に対して直角方向に固定される第１の伸縮部材と、前記ベース部材に対して直角方向に固定されるとともに前記第１の伸縮部材に対して軸方向に摺動自在の第２の伸縮部材と、一方の前記伸縮部材にネジ結合され２つの前記伸縮部材からなる軸方向長さを変化させるネジ部材とを有し、前記ネジ部材を取付け位置を変化させることにより前記第２の摺動部材を位置決め固定することを特徴とする。
【発明の効果】
【００１３】
本発明の連層足場の設置方法によれば、連層足場は建築物の躯体部に締結されているので、連層足場を構成する建枠の全部またはその一部を最下層部から上層部へ向けて順次解体することができる。これにより、連層足場全体を解体することなく、出入り口部を新設または拡張したり、外構工事を円滑に行ったりすることができる。
【００１４】
本発明の連層足場の設置方法によれば、最下層部を構成する建枠の解体作業は、当該建枠の鋼管支柱に装着されるジャッキベースに対して収縮作業を行なうという簡易な作業により行なうことができる。
【００１５】
本発明の枠体締結具によれば、建造物の躯体部の厚み寸法や躯体部と連層足場との設置間隔が異なる場合であっても、連層足場などの枠体を躯体部に締結することができる。
【発明を実施するための最良の形態】
【００１６】
以下、本発明の実施の形態を図面に基づいて詳細に説明する。
【００１７】
図１は連層足場の一例を示す斜視図である。図１に示される通り、連層足場１０は建築物の外周を取り囲むようにその外側に設置される。マンションやオフィスビルなど中層ないし高層の建築物を建造する際には、建造箇所全体を覆うように複数の建枠１１が垂直方向に組み上げられるとともに、作業員の作業足場を確保するため複数の足場布板１２が水平方向に組み付けられる。このように所定の高さにまで組み上げられる連層足場１０の所定の位置には、連層足場１０に乗り込んで作業を行なう作業員が自由に昇降移動し得るように登り桟橋１３や梯子などが仮設される。なお、連層足場１０には図示しない養生ネットを組み付けることができる。
【００１８】
図２は図１に示す連層足場を構成する建枠の一例である。図１に示す連層足場１０を構成する建枠１１は、いわゆる鳥居型建枠であって、図１に示すように所定の間隔毎に水平方向に建て並べられる。この建枠１１は、上下二箇所に連結部１４を有し垂直方向に立設される鋼管支柱１５と、２本の当該鋼管支柱１５を相互に連結する横架材１６とを有している。なお、連層足場１０を構成する建枠１１としては図示するような鳥居型建枠に限られず、梯子型建枠などの通常一般に用いられる建枠を使用することができる。
【００１９】
図３（Ａ）は図１に示す連層足場の最下層部を構成する建枠に装着されるジャッキベースの一例であり、同図（Ｂ）は図１に示す連層足場の最下層部を構成する枠組の一例である。ジャッキベース１７は、地面などの基礎に固定される敷板１８と、所定長のネジ部１９ａが形成され前記敷板１８に立設されるジャッキ部１９と、ネジ部１９ａに装着されるハンドル２０とを有している。かかるジャッキベース１７のジャッキ部１９先端を建枠１１の鋼管支柱１５の下端部側から装着するとともに、敷板１８を基礎に固定することによって、建枠１１を所定の位置で支持することができる。基礎に高低がある場合にはハンドル２０を回すことによって、ハンドル２０が装着されるネジ部１９ａの寸法範囲内においてジャッキベース１７により支持される建枠１１の高さを調節することができる。図３（Ｂ）に示されるように、隣り合う建枠１１同士は、鋼管支柱１５の連結部１４に装着される交差筋かい２１を用いて連携されており、建枠１１の横架材１６には足場布板１２が水平に架け渡されている。なお、建枠１１同士はいわゆる開口筋かいを用いて連携されるようにしても良い。
【００２０】
図３（Ｂ）に示される建枠１１は垂直方向に組み上げることができる。図４（Ａ）には複数の建枠を垂直方向に組み上げるために用いられる連結ピンの一例が示されており、同図（Ｂ）には建枠相互の抜け止めに用いられるアームロックの一例が示されている。垂直方向への建枠１１の組み上げ作業は、下層部を構成する建枠１１の鋼管支柱１５の上端部に挿入される連結ピン２２に対して、上層部を構成する建枠１１の鋼管支柱１５の下端部を挿入することによって行なわれる。アームロック２３は、下層部を構成する建枠１１の上部に設けられる連結部１４と上層部を構成する建枠の下部に設けられる連結部１４とに取り付けられる。図１に示すように、垂直方向に組み上げられる建枠１１同士も交差筋かい２１を用いて連携されており、建枠１１の横架材１６には足場布板１２が水平に架け渡されている。なお、鋼管支柱１５の上端部に上記連結ピン２２と同形の連結部を形成するようにして、建枠１１と別体として用意される上記連結ピン２２の使用を省略することも可能である。
【００２１】
本発明を適用して設置される連層足場１０は、枠体締結具を用いて建造物の躯体部２４に取り付けられる。図５（Ａ）〜（Ｄ）に枠体締結具の一例を示す。
【００２２】
図５（Ａ）に示す枠体締結具２５は建枠１１の鋼管支柱１５に対向して配置される角パイプからなるベース部材２６を有し、当該ベース部材２６の上端部にはベース部材２６に対して直角方向に配置される角パイプからなる締結アーム２７が固定されている。当該締結アーム２７には所定の間隔で複数の位置決め孔２８が形成されるとともに、これらと同径のセット穴２９が形成される第１の摺動部材３０が摺動自在に嵌合されており、躯体部２４の厚み寸法にあわせて図示しない止めピンなどの支持棒材をセット穴２９および何れかの位置決め孔２８に打ち込むことにより、第１の摺動部材３０の締結アーム２７に対する位置を固定することができる。
【００２３】
第１の摺動部材３０には締結アーム２７と平行に配置される締結ネジ３１ａがネジ結合されており、当該締結ネジ３１ａの先端には躯体部２４の内側から接触する接触面を備える締結駒３１ｂが設けられている。建枠１１の鋼管支柱１５に対向するベース部材２６の面上には、建枠１１の一部を把持するための単クランプ３２が上下２箇所に設けられており、鋼管支柱１５を単クランプ３２のそれぞれに収容し所定の工具を用いてボルト締付を行なうことによって、躯体部２４に対して建枠１１を支持することができるようになっている。
【００２４】
建枠１１の鋼管支柱１５と躯体部２４の外面との間には、躯体部２４の外側から接触する当接部材３３が配置されるようになっている。当接部材３３には締結アーム２７に位置決め固定される第２の摺動部材３４が固定されており、第２の摺動部材３４の移動にともなって当接部材３３の配置を変更することができるようになっている。図示する場合には、第２の摺動部材３４は、締結アーム２７を両側から挟み込むように配置される一対の支持プレート３４ａと、締結アーム２７の上面に架け渡されるとともに一対の支持プレート３４ａを相互に連結する締付け部材３４ｂとにより構成されている。そして、締付け部材３４ｂの締付け力を小さくすることによって締結アーム２７に対して当接部材３３を移動させることができ、締付け力を大きくすることによって締結アーム２７に対して当接部材３３を固定できるようになっている。このように、第１の摺動部材３０と第２の摺動部材３４の締結アーム２７に対する固定位置が変更可能であり、本発明の枠体締結具２５は、躯体部２４の厚み寸法や躯体部２４と連層足場１０との設置間隔にあわせて設置することができるようになっている。
【００２５】
図５（Ｂ）に示す枠体締結具３５は図５（Ａ）に示す枠体締結具２５の変形例である。枠体締結具３５は建枠１１の鋼管支柱１５に対向して配置される丸パイプからなるベース部材３６と、躯体部２４の外面に対向して配置される角パイプからなる当接部材３７とを有し、当該当接部材３７は締結アーム３８に対して位置決め固定される第２の摺動部材３９に対して直角方向に固定されている。
【００２６】
ベース部材３６と当接部材３７との間には、当接部材３７に対して直角方向に固定される第１の伸縮部材４０ａと、ベース部材３６に対して直角方向に固定されるとともに第１の伸縮部材４０ａに対して軸方向に摺動自在の第２の伸縮部材４０ｂと、一方の前記伸縮部材４０ａ，４０ｂにネジ結合され２つの伸縮部材４０ａ，４０ｂからなる軸方向長さを変化させるネジ部材４０ｃとが配置されている。図示する場合にあっては、伸縮部材４０ａ，４０ｂは雄ネジ４０ｄと当該雄ネジ４０ｄが摺動自在に収容される円筒部材４０ｅの組み合わせであり、第１の伸縮部材４０ａを雄ネジ４０ｄとするとき第２の伸縮部材４０ｂは円筒部材４０ｅとなり、第１の伸縮部材４０ａを円筒部材４０ｅとするとき第２の伸縮部材４０ｂは雄ネジ４０ｄとなる。また、ネジ部材４０ｃはハンドル付きのナットであり、雄ネジ４０ｄに螺合し円筒部材４０ｅの端面に当接することによって、円筒部材４０ｅに対する雄ネジ４０ｄの挿入量を制限している。つまり、ネジ部材４０ｃの取付け位置を変化させることにより、躯体部２４の厚み寸法および躯体部２４と連層足場１０との設置間隔にあわせて当接部材３７の締結アーム３８に対する位置を固定することができるようになっている。
【００２７】
また、図５（Ａ）に示す枠体締結具２５と同様、締結アーム３８には複数の位置決め孔２８ａが形成されるとともに、セット穴２９ａが形成される第１の摺動部材３０ａが位置決め固定されており、当該第１の摺動部材３０ａには締結駒３１ｄを備える締結ネジ３１ｃがネジ結合されている。ベース部材３６には、２つの単クランプを連接して形成される二連クランプ４１が装着されており、当該二連クランプ４１によって鋼管支柱１５とベース部材３６とを連結することによって、躯体部２４に対して建枠１１を支持することができるようになっている。
【００２８】
図５（Ｃ）に示す枠体締結具４２は建枠１１の鋼管支柱１５に対向して配置される角パイプからなるベース部材４３を有し、当該ベース部材４３にはベース部材４３に対して直角方向に配置される締結ネジ４４がネジ結合されており、当該締結ネジ４４の先端には躯体部２４の外面に接触する接触面を有する締結駒４５が設けられている。ベース部材４３の上端部には当該ベース部材４３に対して直角方向に配置される丸パイプからなる締結アーム４６が固定されている。当該締結アーム４６は略Ｊ字状に塑性加工が施されており、その一端部には躯体部２４の内面に接触する接触面４７が形成され、鋼管支柱１５に対向する他端部には締結部材として通常一般に用いられる単クランプ４８が設けられており、鋼管支柱１５を単クランプ４８に収容し所定の工具を用いてボルト締付を行なうことによって、躯体部２４に対して建枠１１を支持することができるようになっている。
【００２９】
図５（Ｄ）に示す枠体締結具４９は躯体部２４の平坦な面上に締結されるものである。枠体締結具４９は、躯体部２４に打ち込まれる締結ボルト５０と、当該締結ボルト５０に係止される基板５１と、建枠１１の鋼管支柱１５に対向して配置される丸パイプからなるベース部材５２とを有している。
【００３０】
さらに、基板５１とベース部材５２との間には、基板５１対して直角方向に固定される第１の伸縮部材５３ａと、ベース部材５２に対して直角方向に固定されるとともに第１の伸縮部材５３ａに対して軸方向に摺動自在の第２の伸縮部材５３ｂと、一方の前記伸縮部材５３ａ，５３ｂにネジ結合され２つの伸縮部材５３ａ，５３ｂからなる軸方向長さを変化させるネジ部材５３ｃとが配置されている。図５（Ｂ）に示す枠体締結具３５と同様、伸縮部材５３ａ，５３ｂは雄ネジ５３ｄと当該雄ネジ５３ｄが摺動自在に収容される円筒部材５３ｅの組み合わせであり、ネジ部材５３ｃはハンドル付きのナットである。そして、ネジ部材５３ｃの取付け位置を変化させることにより、躯体部２４と連層足場１０との設置間隔にあわせて、基板５１とベース部材５２との間隔を自在に変更することができるようになっている。
【００３１】
基板５１には締結ボルト５３のネジ部より若干大径の係止部と締結ボルト５０の頭部より大径の挿入部とにより構成され全体としてヒョウタン形のボルト締結孔が形成されている。図示するように、躯体部２４に所定の深さだけ締結ボルト５０を打ち込み、次いで締結ボルト５０の頭部に前記挿入部を挿入した後、基板５１をずり下げて前記係止部に締結ボルト５０のネジ部を係合させることによって基板５１を固定する。鋼管支柱１５とベース部材５２とは二連クランプ５４によって連結することができ、これより、躯体部２４に対して建枠１１を支持することができるようになっている。
【００３２】
図６は図５（Ｃ）に示す枠体締結具を用いて連層足場を建造物の躯体部に取り付けた状態を示す斜視図である。図示する場合にあっては、図２に示す建枠１１が所定の間隔毎に水平方向に建て並べられるとともに、図３（Ａ）に示す連結ピン２２を下層部を構成する建枠１１の鋼管支柱１５の上端と上層部を構成する建枠１１の鋼管支柱１５の下端とにそれぞれ挿入することによって垂直方向に組み上げられている。建枠１１の鋼管支柱１５の連結部１４には交差筋かい２１が装着されており、横架材１６には足場布板１２が架け渡されている。なお、実際に使用される際には、図４（Ｂ）に示すアームロック２３が下層部を構成する鋼管支柱１５の上部に設けられる連結部１４と上層部を構成する鋼管支柱１５の下部に設けられる連結部１４とに取り付けられ、垂直方向に組み上げられた建枠１１同士の抜け止めが防止される。
【００３３】
このように水平方向に所定の間隔毎に建て並べられる建枠１１の配置位置に対応して、建造物の躯体部２４には図５（Ｂ）に示される枠体締結具４２が水平方向に所定の間隔で配置固定されている。そして、枠体締結具４２に設けられた単クランプ４８に建枠１１の鋼管支柱１５が装着されることによって、連層足場１０は全体として建造物の躯体部２４に対して支持固定されるようになっている。つまり、本発明を適用して設置される連層足場１０は、上述の最下層部の建枠１１に装着されるジャッキベース１７と躯体部２４に固定される枠体締結具とにより強固に支持されることになる。
【００３４】
図６において図５（Ｂ）に示される枠体締結具を使用することは単なる例示であって、図５（Ａ）〜図５（Ｄ）に示される枠体締結具はその締結箇所や締結力などに応じて選択的に使用される。たとえば、図５（Ｃ）に示される枠体締結具４２は軽量型の枠体締結具であって締結力が小さいので、連層足場１０の一部を解体した場合など締結力の大きな枠体締結具により連層足場１０を支持する必要がある場合には図５（Ａ）や図５（Ｂ）に示される枠体締結具２５，３５が使用される。また、建枠１１の設置間隔の関係から躯体部２４の平坦な面上に対して連層足場１０を支持する必要がある場合には、図５（Ｄ）に示される枠体締結具４９が使用される。
【００３５】
つぎに、このような連層足場１０の設置方法について説明する。図７は所定の高さにまで組み上げられた連層足場の外観構成図である。本発明にあっては、第１の工程として、最下層部設置工程により連層足場１０の最下層部５６を設置する。具体的には、建枠１１の鋼管支柱１５の下端部にジャッキベース１７を装着し、次いで、当該ジャッキベース１７が装着される建枠１１を所定の間隔毎に水平方向に建て並べる作業が行なわれる。このとき、建枠１１のそれぞれは交差筋かい２１を用いて連携されるとともに、足場布板１２が架け渡される。
【００３６】
これに続く第２の工程として、上層部設置工程により連層足場１０の上層部を設置する。具体的には、最下層部５６を構成する建枠１１の上に連結ピン２２やアームロック２３を用いて他の建枠つまりジャッキベース１７が装着されない建枠１１を組み上げるとともに、上層部を構成する建枠１１に対し所定の間隔毎に建造物の躯体部２４に固定される枠体締結具を装着する作業が行なわれる。上層部を設置する際においても、建枠１１のそれぞれは交差筋かい２１を用いて連携されるとともに、足場布板１２が架け渡される。なお、図７に示す場合にあっては、３階毎に図５（Ａ）に示す枠体締結具２５が固定され、それ以外の階には図５（Ｃ）に示す枠体締結具４２が固定されているが、この固定順序は一実施の形態に過ぎない。
【００３７】
本発明にあっては、上述の上層部設置工程により所定の高さにまで連層足場１０を設置した後に、建築資材の搬入搬出や現場作業員の出入りを円滑に行なうための出入り口部５５を形成することができる。すなわち、第３の工程として、最下層部解体工程により最下層部５６の所定の位置に出入り口部５５を形成する。具体的には、最下層部５６を構成する建枠１１のうち、出入り口部５５を形成しようとする箇所に配置される建枠１１の鋼管支柱１５に装着されるジャッキベース１７に装着されるハンドル２０を、ジャッキを収縮させる方向に回転させることにより当該鋼管支柱１５からジャッキベース１７を取り外し、次いで、ジャッキベース１７を取り外した建枠１１を解体する作業が行なわれる。かかる作業を行なう前に、解体される建枠１１に装着される交差筋かい２１やアームロック２３が取り外されることは言うまでもない。なお、この最下層部解体工程により最下層部５６を構成する建枠１１の全部またはその一部は解体されてしまうが、連層足場１０は枠体締結具により建造物の躯体部２４に支持されているので倒壊してしまうことはない。
【００３８】
図８は本発明を適用して設置された連層足場の一例を示す斜視図であり、図１に示す連層足場に対して建枠の一部を解体することによって出入り口部を新設した状態を示す説明図ともなっている。本発明にあっては、上述の第１ないし第３工程を経ることにより、図１に示す連層足場１０に対して出入り口部５５を新設することができる。この出入り口部５５を垂直方向に拡張するためには、拡張しようとする箇所に配置される建枠１１に装着される枠体締結具２５，４２、交差筋かい２１やアームロック２３を取り外した後、最下層部５６から上層部へ向けて順次解体することにより行なう。外構工事を円滑に行なうための連層足場１０の設置方法も、上述の出入り口部５５の新設および拡張と同様の方法により行なう。なお、建枠が配置されない箇所つまり出入り口部５５における構造上の強度を補うため、出入り口形成工程の後に出入り口部５５の天井部に梁枠を架け渡す作業を追加しても良い。
【００３９】
本発明は前期実施の形態に限定されるものではなく、その要旨を逸脱しない範囲で種々変更が可能である。たとえば、本発明は低層の建築物にも適用することができる。
【図面の簡単な説明】
【００４０】
【図１】連層足場の一例を示す斜視図である。
【図２】図１に示す連層足場を構成する建枠の一例である。
【図３】（Ａ）は図１に示す連層足場の最下層部を構成する建枠に装着されるジャッキベースの一例であり、（Ｂ）は図１に示す連層足場の最下層部を構成する枠組の一例である。
【図４】（Ａ）は複数の建枠を垂直方向に組み上げるために用いられる連結ピンの一例を示す正面図であり、（Ｂ）は建枠相互の抜け止めに用いられるアームロックの一例を示す正面図である。
【図５】（Ａ）〜（Ｄ）は躯体部に連層足場を締結するために用いられる枠体締結具の一例を示す説明図である。
【図６】図５（Ｃ）に示す枠体締結具を用いて連層足場を建造物の躯体部に取り付けた状態を示す斜視図である。
【図７】所定の高さにまで組み上げられた連層足場の外観構成図である。
【図８】本発明を適用して設置された連層足場の一例を示す斜視図である。
【符号の説明】
【００４１】
１０  連層足場
１１  建枠
１４  連結部
１５  鋼管支柱
１６  横架材
１７  ジャッキベース
２０  ハンドル
２２  連結ピン
２３  アームロック
２４  躯体部
２５，４２  枠体締結具
５５  出入り口部
５６  最下層部
【図１】
2005226391.tif 000003
【図２】
2005226391.tif 000004
【図３】
2005226391.tif 000005
【図４】
2005226391.tif 000006
【図５】
2005226391.tif 000007
【図６】
2005226391.tif 000008
【図７】
2005226391.tif 000009
【図８】
2005226391.tif 000010